(57)【特許請求の範囲】
【請求項１】
ツマミの前面の両端を交互に押圧するシーソーツマミにおいて、上記ツマミを取り付けるパネルの裏側にある上記ツマミの側方に、上記パネルの裏面に立てる向きで固設されると共に上記パネルに非接合状態とされ、上記ツマミと上記ツマミを取り付ける上記パネルの開口部との隙間から外方向に漏洩する光を遮るための光遮断部材と、上記パネルの裏側にある上記ツマミの両側に設けられ、押圧を受けた上記ツマミを押圧前の状態に復帰させる方向に弾性力を及ぼすヒンジ部と、を備えることを特徴とするシーソーツマミ。
【請求項２】
前記ヒンジ部は、少なくとも１つのＵ字状に湾曲した部位を有する部材であることを特徴とする請求項１記載のシーソーツマミ。
【請求項３】
ツマミの前面の両端を交互に押圧するシーソーツマミを備えるオーディオ機器において、上記ツマミを取り付けるパネルの裏側にある上記ツマミの側方に、上記パネルの裏面に立てる向きで固設されると共に上記パネルに非接合状態とされ、上記ツマミと上記ツマミを取り付ける上記パネルの開口部との隙間から外方向に漏洩する光を遮るための光遮断部材と、上記パネルの裏側にある上記ツマミの両側に設けられ、押圧を受けた上記ツマミを押圧前の状態に復帰させる方向に弾性力を及ぼすヒンジ部と、を有するシーソーツマミを備えることを特徴とするオーディオ機器。
【発明の詳細な説明】
【０００１】
【発明の属する技術分野】
本発明は、オーディオ機器等のパネルに配置されるツマミの前面の両端を交互に押圧するシーソーツマミおよびそのシーソーツマミを有するオーディオ機器に関する。
【０００２】
【従来の技術】
図１１に示すように、従来から、ツマミ前部の両端を交互に押圧可能なシーソーツマミ２１をパネル２２に備えたオーディオ機器２０が知られている。パネル２２には、シーソーツマミ２１をはめ込むための開口部２２ａが設けられている。シーソーツマミ２１は、その構造上、両矢印Ｓに示すように、ツマミ前部の両端を交互にパネル２２の裏方向に押し込むように操作されるツマミである。
【０００３】
図１２は、シーソーツマミ２１をはめ込んだ開口部２２ａ近傍を、オーディオ機器２０の上方から見た断面図である。シーソーツマミ２１の裏側には、フランジ２３が設けられている。フランジ２３の面積は、シーソーツマミ２１が開口部２２ａから外方向に飛び出ないように、開口部２２ａよりも大きくしている。
【０００４】
シーソーツマミ２１の片側を矢印Ａまたは矢印Ｂの方向から押すと、シーソーツマミ２１およびフランジ２３は、それぞれ一点鎖線で示す状態となる。したがって、シーソーツマミ２１を押したときに、シーソーツマミ２１の左右どちらか一方に隙間ｔができる。この隙間ｔが大きいほど、パネル２２の裏側からパネル２２の表方向に漏れる光が多くなる。
【０００５】
このように、オーディオ機器２０の内部からの光がシーソーツマミ２１の周辺から漏洩すると、表示部等の点灯部分が目立たなくなり、オーディオ機器２０の品位が低下する。特に、カーオーディオの場合には、自動車を夜間走行させることが前提となる。したがって、必要以外の部分から光が漏れると、製品の品位が低下するだけでなく、操作性も悪くなる。
【０００６】
かかる光漏洩の問題を解決するため、従来から種々の対策が講じられてきている。その一つは、図１３に示すように、シーソボタン２１の裏側のフランジ２３をシーソーボタン２１の長さ方向に延長して、パネル２２の裏側からの光を遮蔽する方法である。図１３では、フランジ２３は、シーソーツマミ２１の長さ方向に、それぞれ長さＬだけ延長した大きさとなっている。また、対策の二つ目は、図１４に示すように、シーソーツマミ２１の両端近傍のパネル２２の裏側に、リブ２４，２４を設ける方法である。リブ２４，２４を設けると、先に述べた対策と同様に、パネル２２の裏側からの光をある程度遮蔽することができる。
【０００７】
ところで、シーソーツマミ２１のフランジ２３の中央には、図１５に示すように、ヒンジ部２６と、それに続くツマミ挟持部２７とが備えられている。ヒンジ部２６とツマミ挟持部２７とを備えると、シーソーツマミ２１の一端を押した際に、ヒンジ部２６とツマミ挟持部２７の弾性によって、容易に他端を復帰させることができる。したがって、シーソーツマミ２１をスムーズに押圧できる。
【０００８】
【発明が解決しようとする課題】
しかし、光漏洩に対する上記対策には、いくつかの問題がある。まず、フランジ２３をシーソーツマミ２１の長さ方向にのばす場合には、隣接部品のスペースを確保できないという問題がある。パネル２２には、他の操作キー、表示部、ＣＤトレイ等の部品も存在する。特に、最近、パネル２２の裏側の構造の複雑化が激しい。このため、シーソーツマミ２１のフランジ２３を大きくしてしまうと、他の隣接部品の配置に支障が生じやすくなる。
【０００９】
また、パネル２２の裏側にリブ２４，２４を設ける対策の場合には、リブ２４，２４をパネル２２面と垂直に立てたパネル２２に成形する必要がある。このため、パネル２２の成形の際に、図１４に示すように、ヒケと称する凹部２５，２５が形成されやすくなる。したがって、パネル２２の外観を損なうという問題がある。
【００１０】
一方、図１５に示したように、ヒンジ部２６とツマミ挟持部２７とをフランジ２３の中央に設けると、シーソーツマミ２１にガタが生じるという問題がある。具体的には、図１６の一点鎖線で示すように、シーソーツマミ２１がガタつく。これは、ヒンジ部２６とフランジ２３の両端との距離Ｔ，Ｔが長いからである。したがって、特に、振動が避けられないカーオーディオの場合には、シーソーツマミ２１がカタカタと振動し、カーオーディオの品位が低下する。
【００１１】
このようなシーソーツマミ２１のガタつきを防止するため、図１７に示すように、フランジ２３の裏側の両端部にクッション２８，２８を設ける方法も考えられる。しかし、シーソーツマミ２１以外の部材を設けることによるオーディオ機器のコストアップは避けられない。
【００１２】
そこで、本発明は、隣接部品の配置を制限せず、かつパネルの外観を損なうことなく光漏洩を防止することを目的とする。また、別の本発明は、ツマミのガタつきを防止することを目的とする。さらに、別の本発明は、隣接部品の配置を制限せず、かつパネルの外観を損なうことなく光漏洩を防止し、同時にツマミのガタつきを防止することを目的とする。
【００１３】
【課題を解決するための手段】
上記目的を達成するために、本発明は、ツマミの前面の両端を交互に押圧するシーソーツマミにおいて、ツマミを取り付けるパネルの裏側にあるツマミの側方に、パネルの裏面に立てる向きで固設されると共にパネルに非接合状態とされ、ツマミとツマミを取り付けるパネルの開口部との隙間から外方向に漏洩する光を遮るための光遮断部材と、パネルの裏側にあるツマミの両側に設けられ、押圧を受けたツマミを押圧前の状態に復帰させる方向に弾性力を及ぼすヒンジ部とを備えるシーソーツマミとしている。
【００１７】
このため、隣接部品の配置を制限せず、かつパネルの外観を損なうことなく光漏洩を防止し、同時にツマミのガタつきを防止できる。さらに、光遮蔽部材およびヒンジ部をシーソーツマミに一体化させているので、光遮蔽部材とヒンジ部とを備えたシーソーツマミを一体成形することができる。したがって、シーソーツマミ以外の部材を設ける必要が無くなり、オーディオ機器部材のコストアップを防止できる。また、シーソーツマミ自体に光遮蔽部材を備えているので、パネル表面にヒケが生じることもない。
【００１８】
また、他の発明は、上述の発明において、ヒンジ部を、少なくとも１つのＵ字状に湾曲した部位を有する部材としたシーソーツマミにしている。このため、直線部材に比べてシーソーツマミの弾性力をより高めることができ、シーソーツマミの操作がスムーズになる。また、ツマミ前部の両端を結ぶ方向にＵ字形状を持つヒンジ部を備えることにより、Ｕ字形状の部分の長さを確保できる。したがって、シーソーツマミの押圧操作が軽くなる。
【００１９】
また、他の発明は、ツマミの前面の両端を交互に押圧するシーソーツマミを備えるオーディオ機器において、ツマミを取り付けるパネルの裏側にあるツマミの側方に、パネルの裏面に立てる向きで固設されると共にパネルに非接合状態とされ、ツマミとツマミを取り付けるパネルの開口部との隙間から外方向に漏洩する光を遮るための光遮断部材と、パネルの裏側にあるツマミの両側に設けられ、押圧を受けたツマミを押圧前の状態に復帰させる方向に弾性力を及ぼすヒンジ部とを有するシーソーツマミを備えたオーディオ機器としている。
【００２０】
このように、光遮蔽部材およびヒンジ部をシーソーツマミに一体化させているので、光遮蔽部材とヒンジ部とを備えたシーソーツマミを一体成形することができる。したがって、シーソーツマミ以外の部材を設ける必要が無くなり、オーディオ機器等のコストアップを防止できる。また、夜間走行と振動の条件が伴う車載用オーディオ機器の場合には、シーソーツマミの部分からの光漏洩と異音とを防止できる。したがって、車載用オーディオ機器の操作性が向上すると共に、品位も高めることができる。
【００２１】
【発明の実施の形態】
以下、本発明の各実施の形態について、図面に基づいて説明する。  なお、以下の説明は、オーディオ機器に取り付けたシーソーツマミを例にすすめる。ただし、オーディオ機器以外の機器に取り付けたシーソーツマミであっても、裏方向からの光を表方向に漏れないようにする必要性のある機器であれば良い。
【００２２】
図１は、本発明のシーソーツマミの第１の実施の形態を示す斜視図である。本発明のシーソーツマミは、ツマミの前面１と、ツマミの前面１の裏側にあるフランジ２と、シーソーツマミの操作時において弾性を持たせる４つのヒンジ部３（内２つは、フランジ２下方にある）と、シーソーツマミの裏方向からの光がシーソーツマミとパネルの開口部との隙間から漏洩しないようにする２つの光遮蔽部材４とを備えている。
【００２３】
ヒンジ部３は、シーソーツマミの長さ方向（図１中の矢印Ｃの方向）に凸となるように、Ｕ字状に湾曲して形成されている。また、ヒンジ部３の一端はフランジ２の上部角５に接続され、その他端は光遮蔽部材４の上部角６に接続されている。一方、光遮蔽部材４は、フランジ２の面とほぼ垂直に、フランジ２の横方向に配置されている。ただし、光遮蔽部材４とフランジ２の面とは、垂直でなくても良い。例えば、フランジ２の面に対して６０〜１２０度の角度をなすように、光遮蔽部材４を設けるようにしても良い。
【００２４】
図２は、シーソーツマミをオーディオ機器等のパネルにセットした状態を、パネル７の上辺方向から見た図である。シーソーツマミは、ツマミの前面１をパネル７の開口部８から外方向に飛び出させるようにセットされている。光遮蔽部材４の前方端面４ａは、パネル７の裏面に接している。ただし、前方端面４ａは、必ずしもパネル７の裏面に接していなくても良い。
【００２５】
図２において、ツマミの前面１の左面１ａを矢印Ｄの方向から押すと、左側のヒンジ部３は、一点鎖線の状態に変形する。しかし、左側のヒンジ部３の変形に伴う応力は、左側の光遮蔽部材４の前方端面４ａがパネル７の裏面から離れるように働かない。したがって、シーソーツマミの操作に際して、パネル７の裏方向からの光が、パネル７の開口部８とシーソーツマミのツマミの前面１との隙間からほとんど漏洩しない。
【００２６】
また、ヒンジ部３は、フランジ２の中央部から離れた上部角５に固定されているため、シーソーツマミがパネル７の前後方向にガタつくことはない。なお、ツマミの前面１の右面１ｂを押した場合も、上記と同様の作用を奏する。
【００２７】
図３は、図１および図２に示すシーソーツマミを、パネル７の裏側から見た図である。ヒンジ部３は、フランジ２の上部角５と光遮蔽部材４の上部角６とを連結するように設けられている。しかし、図４に示すように、フランジ２の上部角５ａに２つのヒンジ部３ａを、フランジ２の下部角５ｂに２つのヒンジ部３ｂを設けても良い。なお、ヒンジ部３ａは、フランジ２の上部角５ａと光遮蔽部材４の上部角６ａとを連結する。一方、ヒンジ部３ｂは、フランジ２の下部角５ｂと光遮蔽部材４の下部角６ｂとを連結する。
【００２８】
次に、本発明のシーソーツマミの第２の実施の形態について説明する。図５は、シーソーツマミの第２の実施の形態を示す斜視図である。また、図６は、図５に示すＸ−Ｘ’線とＹ−Ｙ’線とでシーソーツマミを切って、矢印Ｅの方向から見た状態を示す。図６に示すように、ヒンジ部９は、シーソーツマミの高さ方向（図６の矢印Ｆの方向）に凸になるように、Ｕ字形状に湾曲して形成されている。したがって、図２に示すヒンジ部３と同様に、シーソーツマミのガタつきを防止することができる。また、光遮蔽部材４は、図２に示す第１の実施の形態と同じ位置に配置されている。このため、フランジ２の裏方向からの光を遮蔽できる。
【００２９】
また、図７に示すように、フランジ２の片側上下に、２つのヒンジ部９ａ，９ｂを設けても良い。図７の紙面に対して奥方向にも、ヒンジ部９ａ，９ｂが存在する。
【００３０】
なお、本発明のシーソーツマミは、上述の各実施の形態に限定されるものではなく、種々の変形を施した形態としても良い。
【００３１】
例えば、図８に示すように、フランジ２とほぼ垂直になるように、フランジ２の両側に光遮蔽部材４を設け、フランジ２の上辺中央に従来形式のヒンジ部１１およびツマミ挟持部１２を設けても良い。光遮蔽部材４は、直線形状の連結部材１０を介してフランジ２に固定されている。かかる構造によっても、フランジ２の裏方向からの光を遮蔽する効果が得られる。ただし、シーソーツマミのガタつきを防止できないという問題は残る。したがって、上述の第１の実施の形態のように、フランジ２の両端部にヒンジ部３を設ける方が好ましい。
【００３２】
また、図９に示すように、フランジ２の両側に上下に２個ずつのヒンジ部３（図示されないフランジ２下方のヒンジ部も含む）を設け、光遮蔽部材を設けなくても良い。かかる構造によって、シーソーツマミのガタつきを防止する効果が得られる。ただし、フランジ２の裏方向からの光を遮蔽できないという問題は残る。したがって、上述の第１の実施の形態および第２の実施の形態のように、フランジ２とほぼ垂直となるように、フランジ２の両側に光遮蔽部材４を設ける方が好ましい。
【００３３】
また、図１０に示すように、ヒンジ部３の一端を、フランジ２の上部角５ではなく、上部角５よりもフランジ２の中央方向に寄った所定位置１３に固定しても良い。さらに、ヒンジ部３の一端は、上部角５または所定位置１３からシーソーツマミの下方向（すなわち、図１０の紙面の奥方向）にずれた位置に固定されても良い。すなわち、ヒンジ部３の固定位置であるツマミの両端は、フランジ２の中央以外の場所を意味する。
【００３４】
また、ヒンジ部３は、１つのＵ字形状に湾曲した形状とせずに、２つ以上の湾曲部を備えた形状としても良い。また、ヒンジ部３の個数は、上述の２個あるいは４個以外に、６個以上としても良い。また、光遮蔽部材４を、開口部８の裏側のツマミの片側にのみ設けるようにしても良い。
【００３５】
【発明の効果】
本発明によれば、隣接部品の配置を制限せず、かつパネルの外観を損なうことなく光漏洩を防止し、同時にツマミのガタつきを防止することができる。
【図面の簡単な説明】
【図１】本発明に係るシーソーツマミの第１の実施の形態を示す斜視図である。
【図２】図１に示すシーソーツマミを上方から見た断面図である。
【図３】図１に示すシーソーツマミを、パネルの裏方向から見た背面図である。
【図４】図１に示すシーソーツマミの下部にさらに２つのヒンジ部を加えたシーソーツマミの背面図である。
【図５】本発明に係るシーソーツマミの第２の実施の形態を示す斜視図である。
【図６】図５に示すシーソーツマミをＸ−Ｘ’線およびＹ−Ｙ’線で切って、シーソーツマミを矢印Ｅの方向から見た状態を示す図である。
【図７】図６に示すシーソーツマミの下部にさらに２つのヒンジ部を加えたシーソーツマミであって、図６と同様に、Ｘ−Ｘ’線およびＹ−Ｙ’線で切って、矢印Ｅの方向から見た状態を示す図である。
【図８】本発明のシーソーツマミの別の実施の形態であって、図１の光遮蔽部材と、従来のヒンジ部およびヒンジ挟持部とを備えたシーソーツマミを示す斜視図である。
【図９】本発明のシーソーツマミの別の実施の形態であって、図１のヒンジ部のみを備え、光遮蔽部材を備えていないシーソーツマミを示す斜視図である。
【図１０】本発明の第１の実施の形態におけるヒンジ部の一端を、フランジの上部角より中心方向に寄った所定位置に固定した別の実施の形態を示す図である。
【図１１】シーソーツマミを備えるオーディオ等の機器を示す斜視図である。
【図１２】従来のシーソーツマミ近傍を示す図であり、シーソーツマミの裏方向からの光が漏洩する状況を説明するための図である。
【図１３】図１２に示す状況を改善すべく、横方向に拡大したフランジを設ける従来式の対策を説明する図である。
【図１４】図１２に示す状況を改善すべく、パネルの裏側にリブを設ける従来の対策を説明する図である。
【図１５】従来のシーソーツマミを示す斜視図である。
【図１６】図１５に示す従来のシーソーツマミがガタつく様子を説明するための図である。
【図１７】図１６の状況を改善すべく、フランジの両端の裏側にクッション材を配置する従来の対策を説明するための図である。
【符号の説明】
１    ツマミの前面
３    ヒンジ部
３ａ  ヒンジ部
３ｂ  ヒンジ部
４    光遮蔽部材
４ａ  光遮蔽部材
４ｂ  光遮蔽部材
７    パネル
８    開口部
９    ヒンジ部
９ａ  ヒンジ部
９ｂ  ヒンジ部
【図１】
0003907420.tif 000002
【図２】
0003907420.tif 000003
【図３】
0003907420.tif 000004
【図４】
0003907420.tif 000005
【図５】
0003907420.tif 000006
【図６】
0003907420.tif 000007
【図７】
0003907420.tif 000008
【図８】
0003907420.tif 000009
【図９】
0003907420.tif 000010
【図１０】
0003907420.tif 000011
【図１１】
0003907420.tif 000012
【図１２】
0003907420.tif 000013
【図１３】
0003907420.tif 000014
【図１４】
0003907420.tif 000015
【図１５】
0003907420.tif 000016
【図１６】
0003907420.tif 000017
【図１７】
0003907420.tif 000018